(57)【要約】【課題】本発明は、非常時に蓄電池の充放電動作の制限を解除して蓄電池を十分活用することができる電気機器及び充電制御方法を提供することを目的とする。【解決手段】電気機器である画像形成装置は、主電源８３と、主電源８３により所定の電圧範囲で充電される蓄電部８５と、主電源８３又は蓄電部８５から電力を供給するように制御する電源制御部７６とを備えている。電源制御部７６は、蓄電部８５の電圧を検知する電圧検知部７６１と、モード設定部６１により非常時モードに移行した場合に蓄電部８５の電圧範囲を解除して蓄電部８５の下限電圧から上限電圧までの電圧範囲において充電処理する電力供給制御部７６２とを備えている。【選択図】図２
2015107038.tif 000002
【特許請求の範囲】
【請求項１】
主電源と、前記主電源により所定の電圧範囲で充電される蓄電部と、前記主電源又は前記蓄電部から電力を供給するように制御する電源制御部とを備えている電気機器において、
非常時モードに移行するように設定するモード設定部を備えており、前記電源制御部は、前記蓄電部の電圧を検知する電圧検知部と、非常時モードに移行した場合に前記電圧範囲を解除して前記蓄電部の下限電圧から上限電圧までの電圧範囲において充電処理する電力供給制御部とを備えている電気機器。
【請求項２】
請求項１に記載された電気機器において、
前記電源制御部は、利用者により設定された電圧範囲で充電処理する電気機器。
【請求項３】
請求項１又は２に記載された電気機器において、
前記モード設定部は、操作部からの非常時モード移行に関する操作信号に基づいて非常時モードに移行するように設定する電気機器。
【請求項４】
請求項１から３のいずれかに記載された電気機器において、
前記モード設定部は、外部装置から受信した指令信号に基づいて非常時モードに移行するように設定する電気機器。
【請求項５】
請求項１から４のいずれかに記載された電気機器において、
前記モード設定部は、外部ネットワークから取得した情報に基づいて非常時モードに移行するように設定する電気機器。
【請求項６】
主電源又は前記主電源により所定の電圧範囲で充電される蓄電部から電力を供給する電気機器における蓄電部の充電制御方法であって、
前記電気機器が非常時モードに移行する工程と、非常時モードに移行したとき、前記電圧範囲を解除して前記蓄電部の下限電圧から上限電圧までの電圧範囲において充電処理する工程と、を有する充電制御方法。
【発明の詳細な説明】
【技術分野】
【０００１】
本発明は、電気機器及び充電制御方法に関する。
【背景技術】
【０００２】
複写機、プリンタ、ファクシミリ等の画像形成装置といった電気機器では、停電等の非常時に対応するため蓄電池を備えており、通常の動作時に適宜蓄電池に充電処理を行っている。こうした蓄電池は、蓄電池の寿命を考慮して完全に満充電しないように充電処理を行うのが一般的である。また、同様の理由で、蓄電池の放電処理の際にも完全に放電させないように処理される。
しかしながら、非常時において蓄電池を利用する場合に、こうした充放電動作の制約があることで、蓄電池を十分活用することができない虞がある。そのための従来の対策として、例えば、特許文献１には、停電等の非常時において、蓄電池からの供給可能な電力を増加させるために、非常時における充放電動作の制限範囲を、通常の制限範囲よりも緩和された範囲に設定して、蓄電池に充電可能な電力及び蓄電池から放電可能な電力を増加させるようにした蓄電池制御システムが記載されている。
【発明の概要】
【発明が解決しようとする課題】
【０００３】
特許文献１に記載された蓄電池制御システムでは、蓄電池の充放電可能な電力を増加させるようにしているものの、依然として充放電動作の制限範囲が設定されており、非常時に蓄電池を十分活用することができないといった課題がある。
本発明は、こうした従来技術の課題に鑑みてなされたものであり、その目的は、電気機器において、非常時に蓄電池の充放電動作の制限を解除して蓄電池を十分活用することができるようにすることである。
【課題を解決するための手段】
【０００４】
本発明に係る電気機器は、主電源と、前記主電源により所定の電圧範囲で充電される蓄電部と、前記主電源又は前記蓄電部から電力を供給するように制御する電源制御部とを備えている電気機器において、非常時モードに移行するように設定するモード設定部を備えており、前記電源制御部は、前記蓄電部の電圧を検知する電圧検知部と、非常時モードに移行した場合に前記電圧範囲を解除して前記蓄電部の下限電圧から上限電圧までの電圧範囲において充電処理する電力供給制御部とを備えている。
【発明の効果】
【０００５】
本発明によれば、電気機器において、非常時に蓄電池の充放電動作の制限を解除して蓄電池を十分活用することができる。
【図面の簡単な説明】
【０００６】
【図１】本実施形態の電気機器の一例である画像形成装置を示す概略構成図である。
【図２】画像形成装置の制御に関する構成を示すブロック図である。
【図３】電源制御部に関する構成例を示す回路ブロック図である。
【図４】切換回路の回路構成の一例を示す回路図である。
【図５】駆動電源が蓄電部である場合のタイムチャートである。
【図６】駆動電源が主電源である場合のタイムチャートである。
【図７】駆動電源が蓄電部から主電源に切り換わる場合のタイムチャートである。
【図８】駆動電源が主電源から蓄電部に切り換わる場合のタイムチャートである。
【図９】蓄電部の通常時の充電処理における電圧の推移を示すグラフである。
【図１０】蓄電部の非常時の充電処理における電圧の推移を示すグラフである。
【図１１】通常時の蓄電部の充電処理に関するフロー図である。
【図１２】非常時の蓄電部の充電処理に関するフロー図である。
【図１３】蓄電部の通常時の放電処理における電圧の推移を示すグラフである。
【図１４】蓄電部の非常時の放電処理における電圧の推移を示すグラフである。
【図１５】非常時モード移行ボタンの操作による蓄電部の充電処理に関するフロー図である。
【発明を実施するための形態】
【０００７】
図１は、本実施形態の電気機器の一例である画像形成装置１を示す概略構成図である。
画像形成装置１は、装置本体２と、装置本体２の上下に取り付けられた画像読み取りユニット１００及び給紙ユニット３００と、装置本体２の側面に設けられた排紙ユニット２００とを備えている。
画像読み取りユニット１００は、給紙ローラ１０２、搬送ベルト１０３及び排紙ローラ１０４からなる自動原稿給紙装置（ＡＤＦ：Auto Document Feeder）により、給紙台１０１上の原稿をコンタクトガラス１０上で搬送して、排紙トレイ１０５に排紙する。画像読み取りユニット１００は、コンタクトガラス１０上を移動する原稿を露光ランプ部１１で露光して原稿を光学的に走査し、第１〜第３ミラー１２〜１４とレンズ１５を介して、ＣＣＤ等の読み取りセンサ１６により原稿の画像を読み取る。
【０００８】
給紙ユニット３００は、用紙Ｐの給紙部である複数の給紙トレイ３１０、３２０、３３０を備えている。給紙ユニット３００は、給紙トレイ３１０、３２０、３３０内の用紙Ｐを、送り出し装置３１１、３２１、３３１により１枚ずつ送り出して、複数の搬送ローラ等からなる搬送ユニット３４０により、用紙Ｐを装置本体２まで搬送する。
装置本体２は、給紙ユニット３００から給紙される用紙Ｐ、又は、内部の給紙部である本体給紙トレイ５０から送り出し装置５１により送り出した用紙Ｐを、搬送ユニット６０により、感光体ドラム３０まで搬送する。
【０００９】
装置本体２では、感光体ドラム３０を回転させて、その外周面を帯電器３１により一様に帯電した後、書込ユニット２０により、感光体ドラム３０の外周に画像を書き込む。書込ユニット２０は、露光光であるレーザ光を発生し、ｆθレンズ２１やミラー２２を介して感光体ドラム３０にレーザ光を照射し、感光体ドラム３０を露光させて、感光体ドラム３０に印刷する画像に対応した静電潜像を形成する。次に、現像ユニット３２が、所定色（例えば、ブラック）のトナーにより、感光体ドラム３０の静電潜像を現像して、感光体ドラム３０の外周面にトナー画像を形成する。このトナー画像の形成に合わせて、紙センサ５２で検出した用紙Ｐをレジストローラ５３により供給し、搬送（転写）ベルト５４と感光体ドラム３０の間を通過する用紙Ｐにトナー画像を転写する。その後、感光体ドラム３０は、クリーニング装置３３により外周の不要なトナーが取り除かれて、除電装置（図示せず）により除電される。用紙Ｐは、定着ユニット５５の一対の定着ローラ間を通過して加圧及び加熱され、トナー画像が定着する。
【００１０】
このように、本実施形態の画像形成装置１は、感光体ドラム３０、現像ユニット３２、書込ユニット２０、定着ユニット５５等により、用紙Ｐに画像を印刷するための印刷手段３を構成する。この印刷手段３により、１枚の用紙Ｐに画像を印刷し、或いは、複数枚の用紙Ｐに画像を順次印刷して、用紙Ｐに画像を形成する。また、用紙Ｐの両面に印刷するときには、一方の面に印刷した用紙Ｐを、切替爪５７により、両面印刷路４１を経て両面印刷トレイ４０まで搬送し、再給紙ローラ４２により搬送ユニット６０に再度給紙して、用紙Ｐの他方の面に印刷する。
【００１１】
印刷が完了した用紙Ｐは、搬送ローラ５６により排紙ユニット２００まで搬送される。排紙ユニット２００は、用紙Ｐの排紙部である排紙トレイ２０１〜２０４を複数備え、切替爪２０５〜２０７により、用紙Ｐの搬送路を切り替えて、用紙Ｐの排紙先を選択する。用紙Ｐは、例えば、紙センサ２０８により検出されて、排紙ローラ２０９により最下段の排紙トレイ２０４に排紙される。
【００１２】
画像形成装置１は、用紙Ｐの搬送路に沿って、搬送ユニット６０、３４０、搬送ベルト５４、搬送ローラ５６、切替爪５７、紙センサ５２、及び、モータ等を設けて、それらにより用紙Ｐの搬送機構４を構成する。また、搬送機構４と、搬送機構４を制御するための後述する給紙ユニット３００と排紙ユニット２００の制御部及び紙搬送制御部等により、上記した用紙Ｐの搬送手段５を構成する。
搬送手段５は、搬送機構４をコントロールして、用紙Ｐを所定の給紙部（給紙トレイ３１０、３２０、３３０、５０）から所定の排紙部（排紙トレイ２０１〜２０４）まで搬送する手段であり、給紙部から給紙される用紙Ｐを機器内の搬送路に沿って搬送する。また、搬送手段５は、用紙Ｐを印刷手段３へ搬送して、画像を用紙Ｐに印刷させる。このように、搬送手段５は、用紙Ｐを給紙部から印刷手段３を経て排紙部まで搬送する。
【００１３】
図２は、画像形成装置１の制御に関する構成を示すブロック図である。
画像形成装置１は、ＣＰＵ（Central Processing Unit）からなるメインコントローラ６、及び、タッチパネル及びキーボタンを有する操作部７１を備えている。また、画像形成装置１は、ＲＯＭ（Read Only Memory）及びＲＡＭ（Random Access Memory）を有するメモリ部７２、及び、ＨＤ（Hard Disk）等の記憶装置を備えた記憶部７３を備えている。また、画像形成装置１は、外部ネットワークとの間で送受信を行うホストＩ／Ｆ（インタフェース）７４、画像処理制御部７５、及び、電源制御部７６を備えている。
【００１４】
メインコントローラ６は、メモリ部７２及び記憶部７３に記憶されたプログラム及びデータを読み出して装置全体の制御処理を行う。メインコントローラ６は、モード設定部６１を備えており、停電時、操作部７１からの非常時モード移行に対応する操作情報、又は、外部ネットワークからホストＩ／Ｆ７４を介して受信した停電又は地震等の情報に基づいて、非常時モードに移行するように各種制御情報を設定する。
地震情報については、例えば、画像形成装置に設けられた加速度センサの検知信号が所定の閾値を超えた場合に、非常時モードに移行するように設定することもできる。また、非常時モードにおいて、装置全体の消費電力を最小限に抑えるように各種制御情報を設定することで、装置の動作時間をできるだけ長くすることが可能となる。
【００１５】
操作部７１では、利用者がタッチパネル及びキーボタンを操作することで、画像形成処理に必要なデータを入力する。画像処理制御部７５は、画像読取部８２で読み取られた画像データや外部ネットワークから送信された画像データを処理して、印刷部８１において印刷処理されるように画像処理を行う。
電源制御部７６は、商用電源に接続された主電源８３又は蓄電部８５を切り換えて電力供給を行うように制御する。主電源８３としては、例えば、商用電源８４から供給された電力を直流電源に変換して電力を供給するＡＣ／ＤＣ（Alternating Current/Direct Current）電源が用いられる。ＡＣ／ＤＣ電源としては、ＡＣ（Alternating Current）アダプタが挙げられる。蓄電部８５としては、例えば、二次電池又はキャパシタ等の充電可能な装置が用いられる。充電処理部７７は、主電源８３から供給される電力に基づいて蓄電部８５の充電処理を行う。
【００１６】
電源制御部７６は、電圧検知部７６１及び電力供給制御部７６２を備えている。電圧検知部７６１は、蓄電部８５から出力される電圧を検知しており、電力供給制御部７６２は、主電源８３及び蓄電部８５を切り換えて装置内に電源電圧を供給する。電力供給制御部７６２は、電圧検知部７６１で検知された電圧に基づいて充電処理部７７を制御して蓄電部８５に充電する。その際に、電力供給制御部７６２は、蓄電部８５の寿命を伸ばすために、蓄電部８５の下限電圧より大きく上限電圧より小さい所定の電圧範囲内で充電及び放電を行うように制御する。ここで、蓄電部８５の下限電圧は、これ以上放電ができない限界の電圧であり、上限電圧は、これ以上充電ができない限界の電圧である。
【００１７】
電力供給制御部７６２は、非常時モードに移行した場合に、蓄電部８５の充放電処理について通常時に設定された電圧範囲を解除して、電圧範囲を上限電圧から下限電圧の範囲に設定して、蓄電部８５の性能を最大限発揮させるように処理する。また、充電処理及び放電処理については、充電可能な最高電圧及び放電可能な最低電圧を利用者が予め設定した値に設定することもでき、蓄電部８５の過充電及び過放電によるトラブルを未然に防止することができる。
【００１８】
図３は、電源制御部７６に関する構成例を示す回路ブロック図である。
電源制御部７６は、装置内の各部に直流電圧５Ｖ及び３７Ｖを供給する。主電源８３（ＡＣアダプタ）又は蓄電部８５（蓄電池）のどちらを駆動電源とするかは、切換回路７６３で切換処理される。また、蓄電部８５には、充電処理を行う充電処理部７７が接続されており、充電処理部７７は、主電源８３から供給される電力に基づいて蓄電部８５を充電する。切換回路７６３により選択された駆動電源は、電源生成回路７６４に供給されて電源Ａが生成され、生成された電源Ａは、電源供給回路７６５に供給される。電源供給回路７６５は、装置内の各部で用いられる電源である電源Ｂを生成して供給する。電源供給回路７６５は、電源オフの状態を保持するが、操作部７１の電源ボタン７１０を利用者が押下することで、押下した操作信号が電源供給回路７６５に入力されて電源オンの状態となり、電源Ｂが生成されて装置内の各部に供給される。
【００１９】
電源Ｂの供給によりメインコントローラ６が起動して、電源保持信号を電源供給回路７６５に出力することで、利用者が電源ボタン７１０の押下をやめても装置内部への電源供給が保持される。そのため、画像形成装置全体が電源オン状態が維持される。電源をオフする場合には、電源ボタン７１０を再度押下すれば、メインコントローラ６に電源ボタン７１０の操作信号が入力されて、電源保持信号の出力が停止される。そのため、電源供給回路７６５は電源オフの状態に戻り、画像形成装置全体への電源供給が遮断されて、画像形成装置全体が電源オフ状態となる。なお、電源ボタン７１０の操作信号以外に、画像形成装置の内部又は外部から操作信号と同様の電源制御信号Ｓを入力することで、利用者が電源ボタン７１０を押下した場合と同様に画像形成装置を電源オン・オフさせることができ、画像形成装置の起動・停止制御をすることもできる。
【００２０】
図４は、切換回路７６３の回路構成の一例を示す回路図である。
この例では、切換回路７６３は、ＤＣ／ＤＣ（Direct Current/Direct Current）変換ＩＣ７６３ａを備えている。主電源（＋V_AC；ＡＣアダプタ）が商用電源にプラグイン状態に設定された場合に、ＤＣ／ＤＣ変換ＩＣ７６３ａのACIN端子によりプラグイン状態が検知され、ACOK端子の出力がＬレベルに設定される。そのため、トランジスタＦＥＴ１はオンとなり、電源（＋V_BAT_AC）に主電源（＋V_AC）が供給される。
主電源（＋V_AC）が商用電源に接続されておらず、蓄電部８５が接続状態に設定されている場合は、トランジスタＦＥＴ２がオンとなるため、電源（＋V_BAT_AC）に蓄電部８５からの電源（＋V_BAT1）が供給される。したがって、この例では、駆動電源が主電源８３又は蓄電部８５のいずれであるかをBTON信号で判別することができる。BTON信号がＬレベルである場合は、蓄電部８５が駆動電源となっており、BTON信号がＨレベルである場合は、主電源８３が駆動電源となっている。なお、切換回路は、この回路構成に限定されるものではなく、主電源８３及び蓄電部８５の切換処理を行うことができるものであれば、用いることができる。
【００２１】
図５は、駆動電源が蓄電部８５である場合のタイムチャートである。
主電源８３が立ち上っていないため、駆動電源として、蓄電部８５からの電源（＋V_BAT1）が立ち上るタイミングで、電源（＋V_BAT_AC）が立ち上る。この場合、主電源８３が立ち上っていないため、BTON信号はＬレベルとなっており、蓄電部８５から電源が供給されていると判定される。そして、電源（＋V_BAT_AC）が立ち上るタイミングで、５Ｖの電源の供給が開始される。また、３７Ｖの電源を生成するＤＣ／ＤＣ変換回路のイネーブル信号HVCONTがＨレベルからＬレベルに変化するタイミングで、３７Ｖの電源の供給が開始される。
【００２２】
図６は、駆動電源が主電源８３である場合のタイムチャートである。
主電源８３からの電源（＋V_AC）が立ち上るタイミングで、ACIN端子の入力がＬレベルからＨレベルに変化し、その変化に対応してACOK端子の出力がＨレベルからＬレベルに変化する。そして、ACOK端子の出力が変化するタイミングで、駆動電源として、主電源８３からの電源（＋V_AC）に対応する電源（＋V_BAT_AC）が立ち上る。電源（＋V_BAT_AC）が立ち上るタイミングで、５Ｖの電源の供給が開始される。また、３７Ｖの電源を生成するＤＣ／ＤＣ変換回路のイネーブル信号HVCONTがＨレベルからＬレベルに変化するタイミングで、３７Ｖの電源の供給が開始される。
【００２３】
図７は、駆動電源が蓄電部８５から主電源８３に切り換わる場合のタイムチャートである。
まず、主電源８３が立ち上っていないため、駆動電源として、蓄電部８５からの電源（＋V_BAT1）が立ち上るタイミングで、電源（＋V_BAT_AC）が立ち上る。この場合、主電源８３が立ち上っていないため、BTON信号はＬレベルとなっている。そして、電源（＋V_BAT_AC）が立ち上るタイミングで、５Ｖの電源の供給が開始され、イネーブル信号HVCONTがＨレベルからＬレベルに変化するタイミングで、３７Ｖの電源の供給が開始される。
次に、主電源８３が立ち上ると、主電源８３からの電源（＋V_AC）が立ち上るタイミングで、ACIN端子の入力がＬレベルからＨレベルに変化し、BTON信号はＬレベルからＨレベルに変化する。ACIN端子の入力が変化するタイミングより遅延したタイミングでACOK端子の出力がＨレベルからＬレベルに変化する。そして、ACOK端子の出力が変化するタイミングで、駆動電源が、蓄電部８５からの電源（＋V_BAT1）を主電源８３からの電源（＋V_AC）に切り換えられる。５Ｖの電源及び３７Ｖの電源は、切り換えられた主電源８３からの電源（＋V_AC）により途切れることなく供給される。
【００２４】
図８は、駆動電源が主電源８３から蓄電部８５に切り換わる場合のタイムチャートである。
蓄電部８５及び主電源８３が立ち上った状態では、駆動電源として、主電源８３からの電源（＋V_AC）が電源（＋V_BAT_AC）として供給される。そして、主電源８３からの電源（＋V_AC）が立ち下るタイミングで、BTON信号はＨレベルからＬレベルに変化するとともに、蓄電部８５からの電源（＋V_BAT1）に切り換えられて電源（＋V_BAT_AC）として供給される。
【００２５】
図９は、蓄電部８５の通常時の充電処理における電圧の推移を示すグラフである。
蓄電部８５は、下限電圧が電圧Ｖ０で、上限電圧が電圧Ｖ５となっており、電圧Ｖ０まで放電すること及び電圧Ｖ５まで充電することは、蓄電部８５の寿命を短くする。そのため、通常時の充電処理では、蓄電池の寿命を考慮して、電圧Ｖ０より高い電圧Ｖ１及び電圧Ｖ５より低い電圧Ｖ４の電圧範囲を設定している。そして、グラフに示すように、電圧Ｖ１〜Ｖ４の電圧範囲内に電圧Ｖ２〜Ｖ３の急速充電範囲を設定し、電圧Ｖ１〜Ｖ２及び電圧Ｖ３〜Ｖ４の電圧範囲を定電圧充電範囲に設定する。
【００２６】
図１０は、蓄電部８５の非常時の充電処理における電圧の推移を示すグラフである。
非常時には、通常時に制限されていた電圧Ｖ１〜Ｖ４の電圧範囲を解除して、下限電圧Ｖ０から上限電圧Ｖ５まで充電処理を行うように設定する。そして、グラフに示すように、電圧Ｖ１〜Ｖ４の電圧範囲を急速充電範囲を設定し、電圧Ｖ０〜Ｖ１及び電圧Ｖ４〜Ｖ５の電圧範囲を定電圧充電範囲に設定する。このように設定することで、急速充電範囲が通常時に比べて拡大されて短時間に充電することができ、過充電及び過放電による発火などのトラブルを防止することができる。また、充電処理を行う場合には、電圧Ｖ４〜Ｖ５までの電圧範囲の中で利用者が予め充電可能な最高電圧を設定することもできる。このように利用者が最高電圧を設定することで、過充電によるトラブルを未然に防止することができる。
【００２７】
図１１は、通常時の蓄電部８５の充電処理に関するフロー図である。
まず、蓄電部８５がセットされている場合に蓄電部８５から供給される電圧を検知する（Ｓ１００）。電圧が検知されない場合には（Ｓ１００：ＮＯ）、終了する。電圧が検知される場合には（Ｓ１００：ＹＥＳ）、検知電圧がＶ４であるかチェックし（Ｓ１０１）、検知電圧がＶ４である場合には（Ｓ１０１：ＹＥＳ）、終了する。検知電圧がＶ４でない場合には（Ｓ１０１：ＮＯ）、充電処理を開始する（Ｓ１０２）。充電処理を開始した後検知電圧がＶ３より大きいかチェックし（Ｓ１０３）、検知電圧がＶ３よりも大きい場合（Ｓ１０３：ＹＥＳ）には定電圧充電処理を開始する（Ｓ１０４）。そして、定電圧充電処理を開始した後、ステップＳ１０１に戻り、検知電圧がＶ４に到達したか再度チェックする。ステップＳ１０３において、検知電圧がＶ３よりも大きくない場合（Ｓ１０３：ＮＯ）には、検知電圧がＶ２よりも大きいかチェックする（Ｓ１０５）。
【００２８】
検知電圧がＶ２よりも大きい場合（Ｓ１０５：ＹＥＳ）には、急速充電処理を開始し（Ｓ１０６）、検知電圧がＶ３に到達後ステップＳ１０４に進み、定電圧充電処理を開始する。検知電圧がＶ２よりも大きくない場合（Ｓ１０５：ＮＯ）には、定電圧充電処理を開始し（Ｓ１０７）、ステップＳ１０５に戻って検知電圧がＶ２よりも大きいかチェックする。
以上のように通常時の充電処理を行うことで、充電処理を行う電圧範囲の上限をＶ４に制限し、電圧範囲Ｖ２〜Ｖ３では急速充電処理を行うようになる。また、それ以外の電圧範囲では定電圧充電処理を行う。
【００２９】
図１２は、非常時の蓄電部８５の充電処理に関するフロー図である。
まず、モード設定部６１が非常時モードに移行しているかチェックして（Ｓ２００）、非常時でない場合（Ｓ２００：ＮＯ）には、図１１に示す通常時の充電処理を行う（Ｓ２０２）。非常時モードに移行している場合（Ｓ２００：ＹＥＳ）には、非常時の充電モードを開始する（Ｓ２０１）。非常時の充電モードでは、まず、蓄電部８５がセットされている場合に蓄電部８５から供給される電圧を検知する（Ｓ２０３）。電圧が検知されない場合には（Ｓ２０３：ＮＯ）、終了する。電圧が検知される場合には（Ｓ２０３：ＹＥＳ）、検知電圧がＶ５であるかチェックし（Ｓ２０４）、検知電圧がＶ５である場合には（Ｓ２０４：ＹＥＳ）、終了する。検知電圧がＶ５でない場合には（Ｓ２０４：ＮＯ）、充電処理を開始する（Ｓ２０５）。充電処理を開始した後検知電圧がＶ４より大きいかチェックし（Ｓ２０６）、検知電圧がＶ４よりも大きい場合（Ｓ２０６：ＹＥＳ）には定電圧充電処理を開始する（Ｓ２０７）。
【００３０】
そして、定電圧充電処理を開始した後、ステップＳ２０４に戻り、検知電圧がＶ５に到達したか再度チェックする。ステップＳ２０６において、検知電圧がＶ４よりも大きくない場合（Ｓ２０６：ＮＯ）には、検知電圧がＶ１よりも大きいかチェックする（Ｓ２０８）。検知電圧がＶ１よりも大きい場合（Ｓ２０８：ＹＥＳ）には、急速充電処理を開始し（Ｓ２０９）、検知電圧がＶ１に到達後ステップＳ２０７に進み、定電圧充電処理を開始する。検知電圧がＶ１よりも大きくない場合（Ｓ２０８：ＮＯ）には、定電圧充電処理を開始し（Ｓ２１０）、ステップＳ２０８に戻って検知電圧がＶ１よりも大きいかチェックする。
以上のように通常時の充電処理を行うことで、充電処理を行う電圧範囲の上限を解除してＶ５まで充電可能となり、電圧範囲Ｖ１〜Ｖ４では急速充電処理を行って、短時間の充電が行われる。また、それ以外の電圧範囲では定電圧充電処理を行って、過放電及び過充電を防止することができる。
【００３１】
図１３は、蓄電部８５の通常時の放電処理における電圧の推移を示すグラフである。蓄電部８５は、下限電圧が電圧Ｖ０で、上限電圧が電圧Ｖ５となっており、電圧Ｖ０まで放電すること及び電圧Ｖ５まで充電することは、蓄電部８５の寿命が短くなる。そのため、通常時の放電処理では、蓄電池の寿命を考慮して、電圧Ｖ０より高い電圧Ｖ１及び電圧Ｖ５より低い電圧Ｖ４の電圧範囲を設定している。そして、グラフに示すように、電圧Ｖ４まで充電されている場合に、電圧Ｖ１まで放電することができるようになっている。
図１４は、蓄電部８５の非常時の放電処理における電圧の推移を示すグラフである。非常時には、通常時に制限されていた電圧Ｖ１〜Ｖ４の電圧範囲を解除して、上限電圧Ｖ５から下限電圧Ｖ０まで放電処理を行うように設定する。そして、グラフに示すように、電圧Ｖ５まで充電されている場合に、電圧Ｖ０まで放電が可能となっており、非常時において蓄電部８５の性能を最大限発揮させることができる。なお、放電処理を行う場合には、電圧Ｖ１〜Ｖ０までの電圧範囲の中で利用者が予め放電可能な最低電圧を設定することもできる。このように利用者が最低電圧を設定することで、過放電によるトラブルを未然に防止することができる。
【００３２】
図１５は、非常時モード移行ボタンの操作による蓄電部８５の充電処理に関するフロー図である。まず、操作部７１において非常時モード移行ボタンを押下して操作部７１からの非常時モード移行に関する操作信号が出力されたかチェックし（Ｓ３００）、押下されていない場合（Ｓ３００：ＮＯ）には、図１１に示す通常時の充電処理を行う（Ｓ３０２）。非常時モード移行ボタンが押下された場合（Ｓ３００：ＹＥＳ）には、モード設定部６１が非常時モードに移行して、非常時の充電モードを開始する（Ｓ３０１）。
非常時の充電モードでは、まず、蓄電部８５がセットされている場合に蓄電部８５から供給される電圧を検知する（Ｓ３０３）。電圧が検知されない場合には（Ｓ３０３：ＮＯ）、終了する。電圧が検知される場合には（Ｓ３０３：ＹＥＳ）、検知電圧がＶ５であるかチェックし（Ｓ３０４）、検知電圧がＶ５である場合には（Ｓ３０４：ＹＥＳ）、終了する。
【００３３】
検知電圧がＶ５でない場合には（Ｓ３０４：ＮＯ）、充電処理を開始する（Ｓ３０５）。充電処理を開始した後検知電圧がＶ４より大きいかチェックし（Ｓ３０６）、検知電圧がＶ４よりも大きい場合（Ｓ３０６：ＹＥＳ）には定電圧充電処理を開始する（Ｓ３０７）。そして、定電圧充電処理を開始した後、ステップＳ３０４に進み、検知電圧がＶ５に到達したか再度チェックする。ステップＳ３０６において、検知電圧がＶ４よりも大きくない場合（Ｓ３０６：ＮＯ）には、検知電圧がＶ１よりも大きいかチェックする（Ｓ３０８）。検知電圧がＶ１よりも大きい場合（Ｓ３０８：ＹＥＳ）には、急速充電処理を開始し（Ｓ３０９）、検知電圧がＶ１に到達後ステップＳ３０７に進み、定電圧充電処理を開始する。検知電圧がＶ１よりも大きくない場合（Ｓ３０８：ＮＯ）には、定電圧充電処理を開始し（Ｓ３１０）、ステップＳ３０８に戻って検知電圧がＶ１よりも大きいかチェックする。
【００３４】
以上説明したように、非常時モード移行ボタンの操作により蓄電部の性能を最大限発揮させるように充電処理を行うことで、非常時においても装置をできるだけ長い時間安定した状態で動作させることができる。非常時モードにおいて、装置全体の消費電力を最小限に抑えるように設定することで、装置の動作時間をできるだけ長くすることが可能となる。
なお、上述した非常時モード移行ボタンの操作以外にも、外部装置からの非常時モード移行を示す指令信号を受信して非常時の充放電処理を行うようにすることもできる。さらに、外部ネットワークから停電情報又は地震情報を取得して自動的に非常時モードへ移行することで、上述した非常時の充放電処理を行うようにすることもできる。また、ＲＦＩＤ（Radio Frequency Identification）等の近距離無線通信又は装置内の地震に反応する加速度センサからの検知信号に基づいて自動的に非常時モードに移行することもできる。
【符号の説明】
【００３５】
１・・・画像形成装置、２・・・装置本体、３・・・印刷手段、４・・・搬送機構、５・・・搬送手段、６・・・メインコントローラ、１０・・・コンタクトガラス、１１・・・露光ランプ部、１６・・・読み取りセンサ、２０・・・書込ユニット、３０・・・感光体ドラム、３１・・・帯電器、３２・・・現像ユニット、３３・・・クリーニング装置、４０・・・両面印刷トレイ、５０・・・本体給紙トレイ、５４・・・搬送ベルト、５５・・・定着ユニット、６０・・・搬送ユニット、７６・・・電源制御部、７６１・・・電圧検知部、７６２・・・電力供給制御部、７７・・・充電処理部、８３・・・主電源（ＡＣ／ＤＣ電源）、８４・・・商用電源、８５・・・蓄電部、１００・・・画像読み取りユニット、２００・・・排紙ユニット、３００・・・給紙ユニット、３１０、３２０、３３０・・・給紙トレイ、３４０・・・搬送ユニット、Ｐ・・・用紙。
【先行技術文献】
【特許文献】
【００３６】
【特許文献１】特開２０１２−２５３８４１号公報
【図１】
2015107038.tif 000003
【図２】
2015107038.tif 000004
【図３】
2015107038.tif 000005
【図４】
2015107038.tif 000006
【図５】
2015107038.tif 000007
【図６】
2015107038.tif 000008
【図７】
2015107038.tif 000009
【図８】
2015107038.tif 000010
【図９】
2015107038.tif 000011
【図１０】
2015107038.tif 000012
【図１１】
2015107038.tif 000013
【図１２】
2015107038.tif 000014
【図１３】
2015107038.tif 000015
【図１４】
2015107038.tif 000016
【図１５】
2015107038.tif 000017